(57)【要約】    【課題】  簡便に浸出水を低減でき、しかも、廃棄物の準好気的な埋立処理を十分に行うことが可能な廃棄物埋立処理方法を提供する。    【解決手段】  廃棄物が収容されるように地盤に形成された、遮水構造を有する収容部と、前記収容部に収容された前記廃棄物からの浸出水を集めて排出することが可能な集排水管部とを備えた廃棄物埋立処理設備を用い、前記収容部に前記廃棄物を収容して準好気的に前記廃棄物の処理を行う廃棄物埋立処理方法であって、前記収容部に収容した前記廃棄物の外表面の半分以上を遮水シートで覆う、廃棄物埋立処理方法。【選択図】  図３
2017136524.tif 000002
【特許請求の範囲】
【請求項１】
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部に収容した前記廃棄物の外表面の半分以上を被覆用遮水シートで覆う、廃棄物埋立処理方法。
【請求項２】
前記被覆用遮水シートに載置することによって該被覆用遮水シートを前記外表面に対して固定する固定用部材を用いて、前記被覆用遮水シートを前記外表面に対して固定する、請求項１に記載の廃棄物埋立処理方法。
【発明の詳細な説明】
【技術分野】
【０００１】
本発明は、廃棄物埋立処理方法に関する。
【背景技術】
【０００２】
従来、我が国の最終処分場は、安定型、管理型、遮断型の３型式に分類されている。
このうち、管理型最終処分場や一部の安定型最終処分場では、廃棄物を埋め立て、自然の浄化機能とその分解メカニズムを利用して、埋め立てた廃棄物を準好気的に処理する方法が用いられている。
かかる廃棄物埋立処理方法では、具体的には、廃棄物が収容されるように地盤に形成された、遮水構造を有する収容部と、該収容部に収容された廃棄物からの浸出水を集めて排出することが可能な集排水管部とを備えた廃棄物埋立処理設備を用い、収容部に廃棄物を収容して準好気的に廃棄物の処理を行っている。また、収容部の底面側から上端部に到達するまで、比較的長期にわたって廃棄物を収容していくことによって、埋め立てを行っている。
【０００３】
この種の廃棄物埋立処理方法においては、埋め立ての過程において、降雨等によって収容部に収容した廃棄物に雨水等の水が接触すると、雨水等で廃棄物の汚染源が洗い流され、該汚染源を含有する浸出水（汚水）が発生するため、この浸出水を、集排水管部を通して収容部から外側に排出している。また、この浸出水を集排水管部から外部環境に放出すると自然環境の汚染につながるため、かかる汚染を防止すべく、集排水管部の出口側を浸出水処理部に連結し、集排水管部から排出された浸出水を、該浸出水処理部で処理した後、自然環境に放出している（特許文献１参照）。
【先行技術文献】
【特許文献】
【０００４】
【特許文献１】特開２００４−３５１２４２号公報
【発明の概要】
【発明が解決しようとする課題】
【０００５】
しかし、降雨量が比較的多い我が国においては、埋め立ての過程において収容部に流入する雨水等が多く、その分、集排水管部から排出される浸出水も多くなるため、浸出水処理部による水処理の負担が多くなる。その結果、浸出水処理部で十分に処理されていない浸出水が自然環境に放出されるおそれがある。一方、浸出水処理部で十分に浸出水の処理を行おうとすれば、浸出水処理部を大型化する必要がある。
【０００６】
そこで、浸出水の量を低減する方法が望まれている。
浸出水の量を低減する方法として、例えば、収容部に廃棄物を収容した後、その上面を覆土で覆うことによって廃棄物に接触する雨水等を低減する方法が考えられる。
しかし、この方法では、廃棄物の準好気的な処理を十分に行うことができないおそれがある。
【０００７】
別の方法として、例えば、収容部全体を屋根で覆う方法も考えられる。
しかし、この方法では、作業員が廃棄物を運搬、投棄するのに十分な高さを有する屋根を、収容部全体を覆う大きさで建設する必要があるため、その分、大がかりな建設作業が発生する。また、屋根の維持管理作業も必要となる。
【０００８】
本発明は、上記事情に鑑み、簡便に浸出水を低減でき、しかも、廃棄物の準好気的な処理を十分に行うことが可能な廃棄物埋立処理方法を提供することを課題とする。
【課題を解決するための手段】
【０００９】
上記課題について本発明者らが鋭意研究を行ったところ、以下の知見を見出した。
すなわち、廃棄物を覆土で覆う方法では、覆土が雨水等を十分に保持できないため、該覆土を通過して廃棄物に到達する雨水等の量を十分に低減できず、その結果、浸出水を十分に低減できない。また、廃棄物の上部側の空隙に雨水等が入り込むと、通気性が妨げられるため、廃棄物内が嫌気的環境となり、その結果、廃棄物の準好気的な分解処理を十分に行うことができない。このように、廃棄物を覆土で覆うだけでは、廃棄物の準好気的な処理を十分に行うことが困難である。
一方、従来、廃棄物の外表面（外部環境と接する面）を遮水シートで覆うと、廃棄物が嫌気的環境下に置かれることになって、準好気的な分解処理が進まないと考えられていた。
しかし、本発明者らが鋭意研究を行ったところ、驚くべきことに、収容部の底面部から上端部までの埋め立ての過程において、廃棄物を遮水シートで覆っても、廃棄物が嫌気的環境下に置かれることにならず、むしろ、雨水等の過剰な浸透によって通気性が阻害されることが防止され、準好気的な分解処理を良好に行い得ることを見出した。
しかも、廃棄物の外表面を広範囲に覆う程、準好気的な分解処理を十分に進ませることが可能になることを見出して、本発明を完成するに至った。
【００１０】
すなわち、本発明は、
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部に収容した前記廃棄物の外表面の半分以上を遮水シートで覆う、廃棄物埋立処理方法である。
【００１１】
ここで、「準好気的に廃棄物の処理を行う」とは、収容部に収容した廃棄物からの浸出水を集排水管部から排出すると共に、該廃棄物の微生物分解に伴った発熱によって発生した廃棄物と外部環境との温度差によって集排水管部に空気を流入させ、該集排水管部を通して廃棄物に空気を供給することによって、廃棄物の好気的分解処理を行うことを意味する。
また、浸出水とは、廃棄物と接触した水を意味する。
【００１２】
かかる構成によれば、廃棄物の外表面の半分以上を遮水シートで覆うことによって、覆土で覆う場合よりも、埋め立ての過程において廃棄物への雨水等の流入を低減することができ、しかも、廃棄物の準好気的な分解処理を十分に行うことが可能になる。また、遮水シートで外表面を覆うだけでよいため、屋根を建設する場合よりも、作業性に優れる。
従って、簡便に浸出水を低減でき、しかも、廃棄物の準好気的な埋立処理を十分に行うことが可能となる。
【００１３】
上記構成の廃棄物埋立処理方法においては、
前記遮水シートに載置することによって該遮水シートを前記外表面に対して固定する固定用部材を用いて、前記遮水シートを前記外表面に対して固定することが好ましい。
【００１４】
かかる構成によれば、上記固定用部材によって遮水シートを外表面に固定することによって、より確実に、外表面を遮水シートで覆うことが可能となる。
【発明の効果】
【００１５】
以上の通り、本発明によれば、簡便に浸出水を低減でき、しかも、廃棄物の準好気的な処理を十分に行うことが可能となる。
【図面の簡単な説明】
【００１６】
【図１】本発明の一実施形態に係る廃棄物埋立処理方法に用いられる廃棄物埋立処理設備の概略上面図
【図２】図１のＡＡ矢視断面図
【図３】図１の廃棄物埋立処理設備の収容部に廃棄物が収容された状態を示す概略上面図
【図４】図３のＢＢ矢視断面図
【図５】本実施形態の廃棄物埋立処理方法に用いられる固定用部材を示す概略上面図
【図６】図５の左側から固定用部材を見た概略側面図
【図７】実施例で用いた廃棄物埋立処理設備の収容部、及び、モニタリング箇所を示す概略上面図
【図８】図７の地点Ｂにおけるモニタリング結果を示すグラフ
【図９】図７の地点Ｂにおけるモニタリング結果を示すグラフ
【図１０】図７の地点Ｅにおけるモニタリング結果を示すグラフ
【図１１】図７の地点Ｆにおけるモニタリング結果を示すグラフ
【図１２】図７の地点Ａにおける集排水管部内のモニタリング箇所を示す概略図
【発明を実施するための形態】
【００１７】
以下、本発明の実施形態について説明する。
【００１８】
本実施形態の廃棄物埋立処理方法は、
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部に収容した前記廃棄物の外表面の半分以上を遮水シートで覆う方法である。
本実施形態では、収容部５への廃棄物１５の収容においては、記収容部５の底面部から順次各段部９（ここでは１つの段部９）に到達するまでをそれぞれ一の層１６として、複数の層１６（ここでは、２つの層１６）に分けて廃棄物１５を下側から順次収容する態様を採用する。
【００１９】
まず、本実施形態の廃棄物埋立処理方法で用いられる廃棄物埋立処理設備について説明する。
【００２０】
図１〜図４に示すように、廃棄物埋立処理設備１は、
廃棄物１５が収容されるように地盤３に形成された、遮水構造７を有する収容部５と、
前記収容部５に収容された前記廃棄物１５からの浸出水１７を集めて排出することが可能な集排水管部１３と、前記集排水管部１３から排出された浸出水１７を処理する浸出水処理部４０とを備えている。
【００２１】
収容部５は、廃棄物１５を収容するものであり、地盤３に凹状に形成されている。収容部５は、例えば、掘削や盛土によって凹状に形成され得る。
収容部５は、段部９を有し、段部９は、前記上下方向と交差する方向に、且つ、一方から他方に向けて水が流れるように傾斜して延びているように形成された溝部１０を有している。なお、図１〜図４では、上記溝部１０における水の流れ方向上流側が右側、下流側が左側に相当する。
なお、段部９の数量は、特に限定されるものではなく、上下方向に段部９が複数形成されていてもよい。
収容部５が段部９を有することによって、収容部５の法面を伝って雨水等が廃棄物１５に流れ込むことを抑制し得る。また、段部９の溝部１０に廃棄物１５が収容されるまでの間、該溝部１０に流入した雨水等を、廃棄物１５と接触しないように排出し得るため、浸出水１７の発生を低減し、集排水管部１３への浸出水１７の流入量を低減し得る。これにより、浸出水処理部４０の負荷をより軽減し得る。
【００２２】
収容部５は、その表面側（廃棄物１５と接する面側）に遮水構造７としての収容部用遮水シート７を有しており、これにより、収容部５に収容された廃棄物１５に雨水等が接触して浸出水１７が発生しても、該浸出水１７が地盤３に流入することを抑制し得るようになっている。
この収容部用遮水シート７は、収容部５の底面部、側面部、段部９の表面部、及び、溝部１０の表面部を覆うように配されている。
収容部５の底面部は、一方から他方に向けて傾斜するように形成されている。また、この底面部の傾斜に沿って、収容部５の内側から外側まで延び、且つ、該内側と外側とを連通させる集排水管部１３が配されている。このように集排水管部１３が配されていることによって、該集排水管部１３が収容部５の内側から外側に向かって下方に傾斜することになり、これにより、集排水管部１３に流入した浸出水１７は、収容部５から外側に排出されることになる。
ここでは、集排水管部１３の傾斜方向と、溝部１０の傾斜方向とが同方向とされているが、これら方向が異なっていてもよい。
【００２３】
収容部用遮水シート７としては、例えば、最も下方（底面側）から、保護マット層、下部遮水シート層、保護マット層、上部遮水シート層、保護マット層の順に積層されて形成された５層構造のシートが挙げられる。
最下方、中間、最上方に配される保護マット層は、下部及び上部遮水シート層を保護するためのものである。該保護マットとしては、不織布によって形成されたもの等が挙げられる。
上記保護マット層間に配される上部及び下部遮水シート層は、水の通過を許容しないシート層である。該上部及び下部遮水シート層としては、例えば樹脂材料から形成されたものが挙げられる。
なお、収容部用遮水シート７は、地盤３への浸出水１７の流入を抑制し得るものであればよく、特に限定されるものではない。
さらに、収容部用遮水シート７は、紫外線に対する耐久性を有する遮光シート層を備えていてもよい。かかる遮光シート層を備えることにより、日射等による収容部用遮水シート７の劣化を抑制し得る。
なお、収容部用遮水シート７において、最上方に配される保護マット層が遮光機能を有する、すなわち、遮光シート層としての機能を兼ね備える構成を採用してもよい。
【００２４】
収容部５の底面部には、収容部５に収容された廃棄物１５からの浸出水１７を集めて排出することが可能な集排水管部１３が備えられている。
具体的には、集排水管部１３には、該集排水管部１３の外側から内側に浸出水１７が通過できるような孔部（不図示）が複数形成されており、該孔部を通して浸出水１７が集排水管部１３内に流入されるようになっている。
また、集排水管部１３は、上記したように、収容部５の内側から外側まで延びるように、且つ、該内側から外側に向かって下方に傾斜するように配されている。これにより、集排水管部１３に流入した浸出水１７は、集排水管部１３内を通って収容部５の外側に排出されるようになっている。
【００２５】
また、集排水管部１３としては、例えば、収容部５の底面部全体に配されるように、収容部５の内側から外側まで延びる幹線部１３ａ、該幹線部１３ａから枝分かれした枝管部１３ｂとを有するものを採用し得る。
枝管部１３ｂは、幹線部１３ａから収容部５の底面部に沿って延び、さらに、側面部に沿って上方に、先端が廃棄物１５の外表面よりも上方に突き出して外部環境に露出しているように延びている形状に形成されている。この枝管部１３ｂは、廃棄物１５の埋め立てに伴って、その廃棄物１５の量に応じて、継ぎ足しによる延伸などによって長くされるようになっており、これによって、該枝管部１３ｂの先端が常に廃棄物１５の上方に露出しているようになっている。
幹線部１３ａから分岐している枝管部１３ｂの数量は特に限定されない。また、枝管部１３ｂから、さらに別の枝管部１３ｂが分岐していてもよい。
幹線部１３ａ、及び、枝管部１３ｂには、複数の孔部が形成されており、この孔部を介して、浸出水１７が内部に流入するようになっており、流入した浸出水１７は幹線部１３ａの下流側端部（浸出水処理部４０側の端部）から浸出水処理部４０に排出されるようになっている。一方、幹線部１３ａの下流側端部には外部環境から空気が流入し、幹線部１３ａに流入した空気は、さらに各枝管部１３ｂに流入し、各枝管部１３ｂの先端部（幹線部１３ａとは反対の側の端部）から外部環境に排出されるようになっている。このとき、幹線部１３ａ及び枝管部１３ｂの孔部を通して廃棄物１５に空気が供給されるようになっている。
集排水管部１３の材質及び肉厚は、特に限定されるものではないが、収容される廃棄物１５の重量等に応じて適宜設定し得る。
【００２６】
なお、本実施形態の廃棄物埋立処理設備１は、集排水管部１３を囲むように砕石が配されてなる砕石部を備えていてもよい。かかる砕石部により、集排水管部１３の孔部が詰まることを抑制し得る。
【００２７】
浸出水処理部４０は、集排水管部１３から排出された浸出水１７を処理するものである。
浸出水処理部４０としては、従来公知の水処理装置を用い得る。該浸出水処理部４０で処理された処理水が外部環境に放出されるようになっている。
【００２８】
次に、上記廃棄物埋立処理設備１を用いた本実施形態の廃棄物埋立処理方法について説明する。
【００２９】
本実施形態の廃棄物埋立処理方法は、
上記廃棄物埋立処理設備１を用い、
収容部５に廃棄物１５を収容して準好気的に廃棄物１５の処理を行う廃棄物埋立処理方法であって、
収容部５に収容した廃棄物１５の外表面１５ａの半分以上を被覆用遮水シート２１で覆う方法である。
【００３０】
具体的には、まず、運搬された廃棄物１５を、収容部５に投入する。投入後、廃棄物１５への雨水等の流入を抑制するように、廃棄物１５の外表面１５ａの半分以上を被覆用遮水シート２１で覆う。
例えば、図示はしないが、廃棄物１５全体が段部９に到達したとき、該廃棄物１５の外表面１５ａを、覆土を介して被覆用遮水シート２１で覆っても、廃棄物１５全体が段部９に到達する前に、該廃棄物１５の外表面１５ａを、覆土を介して被覆用遮水シート２１で覆ってもよい。
廃棄物１５全体が段部９に到達する前に被覆用遮水シート２１で覆う場合には、図示はしないが、例えば、各層１６をさらに複数の層（小分け層）に分けて敷いていき、各小分け層を敷いたとき、該各小分け層を構成する廃棄物１５の外表面１５ａを、覆土を介して被覆用遮水シート２１で覆ってもよい。この場合において、次の小分け層を形成すべく廃棄物１５を敷いていくときには、被覆用遮水シート２１を捲り、捲った側の端部の位置に区画堰を形成し、該区画堰上に被覆用遮水シート２１の上記捲った側の端部が載置されるように、覆土を介して被覆用遮水シート２１で覆ってもよい。この場合、直前の小分け層用の被覆用遮水シート２１が捲られて直前の層が露出された側では、次の小分け層を形成する廃棄物１５の外表面１５ａが次の小分け層用の被覆用遮水シート２１で覆われ、直前の小分け層用の被覆用遮水シート２１が残った側では、当該被覆用遮水シート２１の捲られた側の端部が区画堰上に位置することになる。また、最後（最上）の小分け層が形成されたとき、廃棄物１５の外表面１５ａが段部９に到達することになる。
また、上記の他、廃棄物１５を投入した都度、その外表面１５ａを、覆土を介して被覆用遮水シート２１で覆ってもよい。
このように、本実施形態では、収容部５の底面部から上端部までの廃棄物１５の収容の過程（埋め立ての過程）において、収容部５に廃棄物１５を収容しつつ、該廃棄物１５の外表面１５ａを被覆用遮水シート２１で覆う。より具体的には、廃棄物１５が収容部５の上端部に到達するまでの間において、収容部５に廃棄物１５を収容しつつ、該廃棄物１５の外表面１５ａを被覆用遮水シート２１で覆う。
【００３１】
この被覆用遮水シート２１は、雨水等が廃棄物１５に接触することを抑制するためのものである。この被覆用遮水シート２１で覆われた領域では、廃棄物１５に雨水等が接触することが抑制されるため、その分、浸出水１７の発生が抑制され得る。
被覆用遮水シート２１上の雨水等は、不図示の配管を通って外部環境に放出されるようになっている。
また、廃棄物１５の高さが段部９に到達し、被覆用遮水シート２１が段部９における溝部１０よりも内側まで覆っている場合には、被覆用遮水シート２１上の雨水等は、段部９の溝部１０に流入し、該溝部１０の下流側（図１〜４の左側）端部から配管５１を通って集水ピット５３に送られた後、外部環境に放出されるようになっている。この場合、被覆用遮水シート２１上の雨水等が段部９の溝部１０に流入するように、被覆用遮水シート２１が傾斜されて配され、具体的には、外表面１５ａが傾斜するように廃棄物１５を収容することによって、被覆用遮水シート２１が傾斜されて配される。
さらに、段部９の溝部１０に上方から流入した雨水等も、上記同様、集水ピット５３に送られるようになっている。
また、被覆用遮水シート２１上の雨水等、及び、溝部１０に流入した雨水等を、直接外部環境に放出してもよい。
このように、被覆用遮水シート２１上の雨水等、及び、溝部１０に流入した雨水等は、廃棄物１５と接触することなく、外部環境に放出されるようになっている。
【００３２】
なお、廃棄物１５の高さが段部９または収容部５の最上部に到達するまでの間において廃棄物１５を収容していく際には、廃棄物１５の外表面１５ａが傾斜しているように廃棄物１５を収容し、その上を、覆土（不図示）を介して被覆用遮水シート２１で覆い、収容部５内において傾斜している被覆用遮水シート２１の下方側端部に不図示の集水ピットを配し、被覆用遮水シート２１上の雨水等を該集水ピットに送り、該集水ピットから不図示のポンプ等によって外部環境に放出してもよい。これにより、被覆用遮水シート２１上の雨水等を廃棄物１５と接触させることなく上記傾斜によって下方に移動させ、上記集水ピットに送り、該集水ピットから外部環境に放出することができる。
【００３３】
被覆用遮水シート２１としては、廃棄物１５に雨水等が接触することを抑制し得るものであればよく、特に限定されるものではない。例えばビニール製のシート等が挙げられる。その他、例えば、収容部用遮水シート７と同様のシートを用いてもよい。
【００３４】
ここで、通常、収容部用遮水シート７は、収容部５に収容された廃棄物１５の重量がかかるうえに、被覆用遮水シート２１よりも長期間設置される。
よって、収容部用遮水シート７の方が被覆用遮水シート２１よりも耐候性が高く構成されていることによって、より確実に収容部５から地盤３への浸出水１７の流入を抑制し得る。
このような収容部用遮水シート７及び被覆用遮水シート２１の態様としては、例えば、収容部用遮水シート７が、上記のような５層構造のシートであり、被覆用遮水シート２１が、上記５層構造のうち保護マット層を有さず、且つ、上部及び下部遮水シート層のいずれか一方を有する１層構造の遮水シートであるような態様が挙げられる。
【００３５】
被覆用遮水シート２１が廃棄物１５を覆う範囲は、廃棄物１５の外表面１５ａの半分以上、具体的には、外表面１５ａの面積の半分以上の範囲であればよく、特に限定されるものではない。
【００３６】
また、収容部５への廃棄物１５の収容においては、収容部５の底面部から段部９に到達するまでをそれぞれ一の層１６として、複数の層１６（ここでは、２つの層１６）に分けて前記廃棄物１５を下側から順次収容する。この際、廃棄物１５を収容し、上記のように覆土（不図示）を介して被覆用遮水シート２１によって廃棄物１５の外表面１５ａを覆う。
各層１６の形成において、各段部９または収容部５の最上部に到達するまでの間で廃棄物１５を収容していく際には、前述のように、廃棄物１５の外表面１５ａが傾斜しているように廃棄物１５を収容し、その上を、覆土（不図示）を介して被覆用遮水シート２１で覆い、傾斜している被覆用遮水シート２１の下方側端部に配された不図示の集水ピットに、被覆用遮水シート２１上の雨水等を送り、送られた雨水等を該集水ピットから不図示のポンプによって外部環境に放出してもよい。
【００３７】
また、被覆用遮水シート２１が風雨等によって捲れたりしないように、被覆用遮水シート２１を廃棄物１５に対して固定することが好ましい。
固定方法としては、特に限定されないが、例えば、前記被覆用遮水シート２１に載置することによって前記被覆用遮水シート２１を前記外表面１５ａに対して固定する固定用部材３１を用いて、前記被覆用遮水シート２１を覆土（不図示）を介して外表面１５ａに対して固定することが挙げられる。
このような固定用部材３１によって外表面１５ａに被覆用遮水シート２１を固定することによって、より確実に、外表面１５ａを被覆用遮水シート２１で覆うことが可能となる。
【００３８】
かかる固定用部材３１は、図５及び図６に示すように、廃棄物１５に対して被覆用遮水シート２１を押えるように構成された長尺状の押え部３３と、該押え部３３から突出して廃棄物１５に突き刺されるように構成された釘状のピン部３９とを備えている。
これにより、長尺状の押え部３３の範囲で被覆用遮水シート２１を連続して押えることができ、その範囲で部分的に被覆用遮水シート２１が捲れることを抑制し得る。
具体的には、押え部３３は、間隔を空けて配された複数の長尺状の第１の板状部３５と、該第１の板状部３５よりも短尺であって、第１の板状部３５同士に連結された第２の板状部３７とを備えており、ピン部３９は、第１及び第２の板状部３５、３７の重なり合った部分に打ち込まれることによってこの重なり合った部分から突出している。また、ピン部３９によって、第１の板状部３５と第２の板状部３７とが梯子状に形成されている。
なお、固定用部材３１を、さらにこの上方から土嚢で押えてもよい。
【００３９】
なお、収容部５が埋まるまで廃棄物１５を収容し、該廃棄物１５の収容が完了した後、覆土（不図示）を介して廃棄物１５の外表面１５ａを被覆用遮水シート２１で覆ったまま、または、覆土（不図示）を残しつつ被覆用遮水シート２１を除去して、外表面１５ａ上に、例えばアスファルト等によって舗装を施してもよい。この場合、廃棄物１５の収容が完了してから舗装までの間に比較的時間がかかるような場合には、舗装までの間、収容が完了するまでの間に用いていた被覆用遮水シート２１よりも耐久性の高い被覆用遮水シート２１を用い、該遮水シートで覆土（不図示）を介して廃棄物１５の外表面１５ａを覆ってもよい。
【００４０】
本実施形態の廃棄物埋立処理方法によれば、廃棄物１５の外表面１５ａの半分以上を被覆用遮水シート２１で覆うことによって、覆土のみで覆う場合よりも、廃棄物１５の準好気的な分解処理を十分に行うことが可能になる。しかも、被覆用遮水シート２１で覆うだけでよいため、屋根を建設する場合よりも、作業性にも優れる。
【００４１】
以上の通り、本実施形態について説明したが、本発明は、上記実施形態に限定されるものではなく、適宜設計変更することができる。
【００４２】
例えば、上記実施形態では、廃棄物１５の外表面１５ａに覆土（不図示）を介して被覆用遮水シート２１を覆う態様を示したが、本発明においては、廃棄物１５の外表面１５ａ上に覆土を介することなく被覆用遮水シート２１で外表面１５ａを覆ってもよい。
また、上記実施形態では、収容部５の側面（法面）に、所定の高さごとに収容部５の底面を囲むような環状の溝部を有する段部９が形成された構成を示したが、本発明においては、段部９を有しない収容部を採用してもよい。
【００４３】
以下、実施例を挙げて本発明をより詳細に説明するが、本発明はこれらに限定されるものではない。
【実施例】
【００４４】
以下のようにして、廃棄物の外表面を被覆用遮水シートで覆うこと（シートキャッピング）による準好気的な処理機能への影響を調べた。
図７に示すような上面視の形状を有する収容部、図１に示すような集排水管部及び浸出水処理部を有する廃棄物埋立設備（埋立容量４７万ｍ３）を施工した。収容部には、５ｍごとに、溝部を有する段部を設けた。集排水管部として、ポリエチレン製であって、円筒状の幹線部（φ６００ｍｍ）と円筒状の枝管部（φ１５０ｍｍ）とを有し、枝管部が幹線部から分岐して収容部の底面部に沿って延び、さらに側面部に沿って上方に、先端が廃棄物の外表面よりも上方に突き出して外部環境に露出しているように延びている形状に形成された管を用いた。また、枝管部は、少なくとも図７に示す地点Ｂ〜Ｈにおいて廃棄物よりも上方に突き出しているように設置した。この廃棄物埋立設備の収容部に廃棄物を段部ごとに順次投入し、覆土を設置して埋め立てを行い、シートキャッピングを施さなかった場合と、シートキャッピングを施した場合とで浸出水の発生状況等を調べた。
具体的には、２００５年１２月（２００６年８月にデータ測定開始）から２０１５年７月まで順次、収容部に廃棄物を収容して、埋め立てを行った。
この期間のうち、２００８年１月から２００８年７月までの６ヵ月間、及び、２００９年１月から２０１０年１月までの１年間、収容された廃棄物の外表面（外部環境と接する面）の地点Ａ〜地点Ｈのうち、所定の箇所を、覆土を介して被覆用遮水シートで覆った。
【００４５】
・ガスの発生等の測定
２００６年８月から２０１５年７月まで、廃棄物からのガスの発生、廃棄物の表面（外表面）温度、月積算降雨量をモニタリングし、各月の平均値を得た。
ガスモニタリングは、図７のＢ〜Ｈの７箇所にそれぞれ位置する枝管部の先端から放出されるガスの種類及び濃度を、ガスモニター（ポータブルガスモニター  ＧＸ−２０１２、理研計器株式会社製）によって測定した。
また、この各７箇所の枝管部の先端において、温度計（防水型中心温度計ＡＤ−５６２５、株式会社エー・アンド・デー社製）を用いて表面温度を測定した。
さらに、転倒ます式雨量計（ＷＢ００１１−００−００、横河電子機器株式会社製）によって、上記各７箇所での積算降雨量を測定した。
Ｂ地点での結果を図８及び図９に示し、Ｅ地点及びＦ地点での結果を図１０及び図１１に示す。
【００４６】
図８及び図９は、Ｂ地点での結果である。
図８及び図９に示すように、２００８年１月から６ヵ月間、及び、２００９年１月から１年間、Ｂ地点の廃棄物の外表面を、覆土を介して遮水シートで覆った。
この各期間に、月間３００ｍｍを超える降水があったが、嫌気的処理によって発生するガスである硫化水素及びメタンガスの発生は認められなかった。一方、酸素ガス濃度は２１％であり、廃棄物中に集排水管部を通して外部環境から十分な空気が流入されていることがわかった。
一方、全期間を通して、表面温度については、初期は３０℃〜５℃と外気の影響を受けているが、徐々に最小温度が上昇し、図示はしないが、２０１３年以降は１８℃〜３３℃程度とさらに上昇傾向にあった。このことから、廃棄物内の好気化が進んでいるものと推察される。
【００４７】
一方、シートキャッピングを行っていない期間のうち、２００７年７月、及び、図示はしないが２０１０年７月は、硫化水素ガスがそれぞれ４５ｐｐｍ、１５ｐｐｍに上昇していた。この時期の月間降雨量は７５０ｍｍ〜８００ｍｍである。
このことから、降水量の多い時期には、埋め立てした廃棄物の外表面側（上側）部分の間隙が雨水等で充填されて飽和状態となり、その結果、通気障害を起こし、一時的に廃棄物内が嫌気的な環境状態になったものと推察される。
【００４８】
ここで、従来、シートキャッピングされている部分は通気性が阻害されて嫌気的環境になると従来懸念されていた。
しかし、上記結果より、本実施例によれば、シートキャッピングを施すことによって、埋め立てされた廃棄物の外表面側部分の水が排除されて廃棄物中に流入せず、且つ、集排水管部から空気が供給されることによって、廃棄物内が好気的環境状態に保たれ得ることがわかった。よって、シートキャッピングは準好気的な分解機能を阻害せず、むしろ有利に働くものと推察される。
【００４９】
図１０及び図１１は、Ｅ地点及びＦ地点での結果である。
図１０に示すように、Ｅ地点では、２００９年１月から１年間、シートキャッピングを施した。その結果、上記Ｂ地点と同様、シートキャッピングを施した期間では、降雨が多い時期であっても、硫化水素の発生が抑制された。
一方、図１１に示すように、Ｆ地点では、シートキャッピングを一切行わなかった。その結果、硫化水素ガス濃度が上昇するとともに、酸素ガス濃度が低下する傾向にあった。この理由としては、上記と同様、降雨量が多い時期には廃棄物の外表面側部分の空隙に雨水等が充満し、廃棄物内が嫌気的環境状態となったことによるものと考えられる。
【００５０】
・空気流入量の測定
集排水管部への空気流入量を、集排水管部（幹線部）の下流側末端部（Ａ地点）において、図１２に示すように、集排水管部内の９箇所について風速計（アネモマスター風速計、ＭＯＤＥＬ：６００４、日本カノマックス社製）を用いて風速及び風量を測定した。測定は２０１１年８月から開始し、現在まで継続して実施した。また、集排水管部内にカメラを挿入し、目視確認を行った。
結果を表１に示す。
【００５１】
【表１】
2017136524.tif 000003
【００５２】
表１に示すように、風速は０．１０〜２．４０ｍ／ｓであり、集排水管部の上下方向中心より上部側の風速の方が下部側よりも大きく、管部の底部側がやや風速が小さい傾向が伺えた。風量は平均風速に円筒状の集排水管部（幹線部、内径６００ｍｍ）内部の断面積を乗じて求め、８．６〜２８．４ｍ３／分（０．５１〜１．６７ｍ３／秒）と計算された。また、表には示さないが、２０１４年１２月以降の１年間は風速１．５ｍ／秒以上、風量２５ｍ３／分を保っていた。
別途、廃棄物として生ごみを用いて実施した実験では、準好気的な埋立処理での空気流入量の最大値は、廃棄物１ｍ３あたり１．５Ｌ／分であった。本実施例では、生ごみを埋立処理したものではないが、２０１４年時点の埋立廃棄物量（約４１００００ｍ３）で空気量を除してみると０．０７Ｌ／分／ｍ３となる。これは、実験値の約５％ではあるが、埋立廃棄物の質（実施例では熱灼原料が多いこと）から考えて、本実施例では準好気的な分解処理が十分に行われているものと推察される。
【００５３】
また、表１より、廃棄物の埋め立てが進むにつれて、時間換算で１６００〜１７００ｍ３の空気が集排水管部から供給されるようになることが分かった。よって、通気、通水機能は良好に機能していると判断し得る。定期的に集排水管部内の清掃を行うことによって、より確実に廃棄物内を準好気的環境に保ち得ることがわかった。
【００５４】
さらに、従来、シートキャッピングによる廃棄物内の嫌気化が懸念されたが、上記に示すように、シートキャッピングした部分では嫌気化が回避され得ることが分かった。むしろ、本実施例のように降水量が多い地域においては、シートキャッピングしない部分から硫化水素ガスの発生が認められた。これは、降水により、収容された廃棄物の外表面側部分の間隙が雨水等で充満して飽和状態となって嫌気化し、硫化水素ガス等が発生したものと推察される。
【００５５】
ここで、特に年間降雨量が２０００ｍｍ／年を超えるような地域においては施設規模が大きくなると同時に、近年のゲリラ豪雨等により、未処理浸出水の流出事故リスクがあるため、屋根を有する設備を建設するケースも考えられる。
また、本実施例の廃棄物埋立設備は、年降水量が全国平均の１７００ｍｍに対して２４６０ｍｍと４０％以上も多い高降雨量地域であるため、その分、浸出水の量も多くなる。
このような状況下、多降水量地域においてシートキャッピングを用いた埋立方法は、低コストで安全な浸出水の管理が可能である。さらに、シートキャッピングは、雨水排除機能のみならず、埋め立てした廃棄物の通気性が維持されるため、準好気的な埋立処理を十分に行い得る。
【００５６】
以上のように本発明の実施形態及び実施例について説明を行なったが、各実施形態及び実施例の特徴を適宜組み合わせることも当初から予定している。また、今回開示された実施形態及び実施例はすべての点で例示であって制限的なものではないと考えられるべきである。本発明の範囲は上記した実施形態及び実施例ではなくて特許請求の範囲によって示され、特許請求の範囲と均等の意味及び範囲内でのすべての変更が含まれることが意図される。
【符号の説明】
【００５７】
１：廃棄物埋立処理設備、３：地盤、５：収容部、７：収容部用遮水シート、１３：集排水管部、１５：廃棄物、１７：浸出水、２１：被覆用遮水シート、３１：固定用部材、４０：浸出水処理部
【図１】
2017136524.tif 000004
【図２】
2017136524.tif 000005
【図３】
2017136524.tif 000006
【図４】
2017136524.tif 000007
【図５】
2017136524.tif 000008
【図６】
2017136524.tif 000009
【図７】
2017136524.tif 000010
【図８】
2017136524.tif 000011
【図９】
2017136524.tif 000012
【図１０】
2017136524.tif 000013
【図１１】
2017136524.tif 000014
【図１２】
2017136524.tif 000015
【手続補正書】
【提出日】平成29年3月6日(2017.3.6)
【手続補正１】
【補正対象書類名】特許請求の範囲
【補正対象項目名】全文
【補正方法】変更
【補正の内容】
【特許請求の範囲】
【請求項１】
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部の底面部から上端部までの前記廃棄物の収容の過程において、前記収容部に前記廃棄物を収容しつつ、収容した前記廃棄物の外表面の半分以上を被覆用遮水シートで覆う、廃棄物埋立処理方法。
【請求項２】
前記廃棄物の収容の過程においては、
複数の層に分けて前記廃棄物を下側から順次敷いていき、
各層を敷いたとき、該各層を構成する前記廃棄物の外表面の半分以上を前記被覆用遮水シートで覆い、
前記被覆用遮水シートを捲って直前の層を露出させて次の層を敷いていき、該次の層を構成する前記廃棄物の外表面の半分以上を前記次の層用の被覆用遮水シートで覆う、請求項１に記載の廃棄物埋立処理方法。
【請求項３】
前記被覆用遮水シートに載置することによって該被覆用遮水シートを前記外表面に対して固定する固定用部材を用いて、前記被覆用遮水シートを前記外表面に対して固定する、請求項１または２に記載の廃棄物埋立処理方法。
【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
廃棄物が収容されるように地盤に形成された、遮水構造を有する収容部と、
前記収容部に収容された前記廃棄物からの浸出水を集めて排出することが可能な集排水管部とを備えた廃棄物埋立処理設備を用い、
前記収容部に前記廃棄物を収容して準好気的に前記廃棄物の処理を行う廃棄物埋立処理方法であって、
前記収容部の底面部から上端部までの前記廃棄物の収容の過程において、前記収容部に前記廃棄物を収容しつつ、収容した前記廃棄物の外表面の半分以上を被覆用遮水シートで覆い、
前記廃棄物の収容の過程においては、
複数の層に分けて前記廃棄物を下側から順次敷いていき、
各層を敷いたとき、該各層を構成する前記廃棄物の外表面の半分以上を前記被覆用遮水シートで覆い、
前記被覆用遮水シートを捲って直前の層を露出させて次の層を敷いていき、該次の層を構成する前記廃棄物の外表面の半分以上を前記次の層用の被覆用遮水シートで覆う、廃棄物埋立処理方法。
【請求項２】
前記被覆用遮水シートに載置することによって該被覆用遮水シートを前記外表面に対して固定する固定用部材を用いて、前記被覆用遮水シートを前記外表面に対して固定する、請求項１に記載の廃棄物埋立処理方法。